(57)【特許請求の範囲】
【請求項１】
キャビネットの前面の扉を、扉本体と、該扉本体の外枠を成すフレーム部材とで形成し、
前記扉本体と前記フレーム部材のそれぞれを、前記キャビネットに対して開閉自在に取り付けたことを特徴とするキャビネットの扉構造。
【請求項２】
前記フレーム部材の下部に、該フレーム部材を開いた際に床面に接触して該フレーム部材を支持する支持部を収納可能に設けたことを特徴とする請求項１に記載のキャビネットの扉構造。
【請求項３】
キャビネット上部にボウルまたはシンクを備えることを特徴とする請求項１または２に記載のキャビネットの扉構造。
【発明の詳細な説明】
【技術分野】
【０００１】
本発明は、キャビネットの前面に取り付けられる扉構造に関するものである。
【背景技術】
【０００２】
従来から、洗面化粧台やシステムキッチン等では、前面に扉が開閉自在に取り付けられたキャビネットが用いられている（特許文献１等参照）。
【０００３】
このような洗面化粧台やシステムキッチン等の水廻りで使用されるキャビネットでは、水気を含んだタオルやバスマット等を、開いた扉に一時的に掛けて、扉を乾燥用の物干しとして利用することが考えられる。
【先行技術文献】
【特許文献】
【０００４】
【特許文献１】特開２００８−２３７６０２号公報
【発明の概要】
【発明が解決しようとする課題】
【０００５】
しかし、その場合、扉に掛けたタオル等と扉の表裏面との間が狭く、その間の空気が循環し難いため、キャビネットの扉は乾燥用の物干しとして利用するには不向きであった。
【０００６】
そこで、上記事情を鑑みて、本発明は、水気を含んだタオルやバスマット等を乾燥させる用途としても利用できるキャビネットの扉構造を提案することを課題とする。
【課題を解決するための手段】
【０００７】
上記課題を解決するための本発明のキャビネットの扉構造は、キャビネットの前面の扉を、扉本体と、該扉本体の外枠を成すフレーム部材とで形成し、前記扉本体と前記フレーム部材のそれぞれを、前記キャビネットに対して開閉自在に取り付けたことを特徴とする。
【０００８】
また、前記フレーム部材の下部に、該フレーム部材を開いた際に床面に接触して該フレーム部材を支持する支持部を収納可能に設けることが好ましい。
【０００９】
また、キャビネット上部にボウルまたはシンクを備えることが好ましい。
【発明の効果】
【００１０】
本発明のキャビネットの扉構造は、水気を含んだタオルやバスマット等を乾燥させる用途としても利用できる。
【図面の簡単な説明】
【００１１】
【図１】本実施形態のキャビネットの扉構造を示す斜視図であり、（ａ）は扉本体とフレーム部材を共に閉じた状態であり、（ｂ）はフレーム部材のみ開いた状態であり、（ｃ）は扉本体とフレーム部材を共に開いた状態である。
【図２】同上のフレーム部材に収納自在に設けられる支持部を示す説明図である。
【図３】同上の扉本体とフレーム部材とにそれぞれ取り付けられる開閉用の把持部を示し、（ａ）は側面図であり、（ｂ）は要部断面図である。
【図４】他の実施形態のキャビネットの扉構造を示す一部を破断して示した側面図である。
【図５】さらに他の実施形態のキャビネットの扉構造を示す一部を破断して示した側面図である。
【発明を実施するための形態】
【００１２】
以下、本発明を添付図面に示す実施形態に基づいて説明する。
【００１３】
本発明のキャビネットの扉構造は、洗面化粧台やキッチン等の水廻りのキャビネットに好適に用いられる扉構造である。
【００１４】
図１には、本発明の実施形態の洗面化粧台に用いられるキャビネット１を示している。洗面化粧台には、図１（ａ）に示すように、上から順に、鏡とボウル６とキャビネット１とが設けられている。キャビネット１は、内部に収納部１０を備えており、収納部１０の前面に２枚の扉２が開閉自在に取り付けられている。キャビネット１の扉２の下方には蹴込み１１が設けられている。この左右の２枚の扉２は、左右対称の構成であるので、以下においては左側の扉２について詳しく説明する。
【００１５】
扉２は、矩形板状の扉本体３と、扉本体３の外枠を成すフレーム部材４とから構成されている。扉本体３とフレーム部材４とは前後方向の厚みが略同じとなるように形成されている。フレーム部材４は、扉本体３上方に位置する上フレーム部材４０と、扉本体３下方に位置する下フレーム部材４１と、扉本体３右方（側方）に位置する横フレーム部材４２の３つの部材が一体となったものである。本実施形態では、上・下・横フレーム部材４０，４１，４２はそれぞれ円筒状である。フレーム部材４の両端の開口は閉じられている。なお、上・下・横フレーム部材４０，４１，４２は、円筒状に限られるものではなく、角筒状であってもよいし、中空でなくてもよい。フレーム部材４は、強度や防水性の強い部材で形成することが好ましい。
【００１６】
扉本体３とフレーム部材４とはそれぞれ、キャビネット１の収納部１０の前面に開閉自在に取り付けられている。詳しくは、図１（ｃ）に示すように、キャビネット１の収納部１０の側壁１２の前面の上部と下部にそれぞれ１つずつ蝶番１３が取り付けられている。蝶番１３は、一方の取付板１４が側壁１２の前面に取り付けられており、他方の取付板が上下に分かれていて、片側の取付板１５がフレーム部材４に取り付けられており、もう片側の取付板１６が、扉本体３に取り付けられている。そのため、扉本体３とフレーム部材４とは蝶番１３の回転軸１７を中心に同じ回転軸で開閉動作を行うようになっている。
【００１７】
なお、キャビネット１の収納部１０の前面に扉本体３とフレーム部材４とをそれぞれ開閉自在に取り付ける構造としては、上述の蝶番１３を用いたものに限定されない。例えば、図４に示すように、キャビネット１の扉２の上方に配される前板１８と、キャビネット１の扉２の下方に配される受け板１９との間に、２本の回転軸２０を介して扉本体３とフレーム部材４とを取り付けてもよい。なお、扉本体３とフレーム部材４と貫通する１本の回転軸を介して扉本体３とフレーム部材４とを前板１８と受け板１９の間に取り付けてもよい。
【００１８】
本実施形態では、図１（ｂ）及び図２に示すように、フレーム部材４の下部に、フレーム部材４を開いた際に床面に接触してフレーム部材４を支持する支持部５を備えている。支持部５は、フレーム部材４の下部に収納可能に設けている。詳しくは、支持部５は横フレーム部材４２よりも小径の有底筒状であり、フレーム部材４の下部の右端部には、支持部５をフレーム部材４内に収納するための引出孔４３を下方に向けて開口させて設けている。この引出孔４３を通じて、支持部５は下方へ突出自在に設けられている。支持部５の下端には、弾性を備えたゴム等で形成される当たり部５０が設けられており、支持部５の外周面には、スライドピン５１が垂直に固定されている。横フレーム部材４２には、スライドピン５１がスライドする上下方向に長いスライド長孔４４を貫通させて設けている。スライド長孔４４は、その上端部と下端部とにスライドピン５１を係止する上係止孔４５と下係止孔４６とを備えている。上係止孔４５内にスライドピン５１が位置した状態で、支持部５は、横フレーム部材４２に係止されて上下移動が規制され、支持部５全体がフレーム部材４内に収納される（図１（ｃ）参照）。そして、下係止孔４６内にスライドピン５１が位置した状態で、支持部５は、横フレーム部材４２に係止されて上下移動が規制され、支持部５の下端の当たり部５０が床面に接触する（図１（ｂ），図２参照）。なお、支持部５は、フレーム部材４に収納可能であればよく、その構造は上述した構造に限定されない。
【００１９】
さらに本実施形態では、図１及び図３に示すように、扉本体３の前面の右上部に、扉本体３を開閉する際に手をかける本体把持部３０を設けている。そして、フレーム部材４の前面の右上部には、フレーム部材４を開閉する際に手をかけるフレーム把持部４７を引き出し自在に設けている。本体把持部３０に手をかけて扉本体３を開く際にフレーム部材４も一緒に開くことができるようにするために、フレーム把持部４７には、フレーム部材４を扉本体３に係止させるストッパー部４８が一体に設けられている。詳しくは、図３（ｂ）に示すように、フレーム把持部４７とストッパー部４８とは上フレーム部材４０内に設けた弾性部材４９によって、上フレーム部材４０の前面と下面からそれぞれ突没自在となるように設けられている。そして、扉本体３の上面には、ストッパー部４８が嵌まり込む凹溝状の係止溝３３が形成されている。
【００２０】
扉本体３とフレーム部材４とを共に閉じた状態（図３（ａ）の状態）で、フレーム把持部４７を引くと、ストッパー部４８が上フレーム部材４０内に引っ込んで、ストッパー部４８が係止溝３３から外れる。また、その状態でフレーム把持部４７を離すと、ストッパー部４８が弾性部材４９によって下方に付勢されて、上フレーム部材４０の下面から下方に突出して、係止溝３３に嵌まり込む。
【００２１】
なお、本実施形態では、フレーム把持部４７を触らずにフレーム部材４を開いた状態から閉じると、弾性部材４９によって下方に付勢されているストッパー部４８が、扉本体３の上面に押されて一旦引っ込んだ後、下方に突出して係止溝３３に嵌まり込む。そのため、本実施形態では、フレーム把持部４７を触らずにフレーム部材４を閉じることができる。
【００２２】
上述した本実施形態のキャビネットの扉構造を、乾燥用の物干しとして利用する際の操作手順について説明する。
【００２３】
図１（ａ）に示すように扉本体３及びフレーム部材４が共に閉じた状態から、まず、フレーム部材４のフレーム把持部４７を引っ張る。すると、扉本体３の係止溝３３からストッパー部４８が外れて、図１（ｂ）に示すように、フレーム部材４だけを開くことができる。
【００２４】
フレーム部材４を開いた状態で、フレーム部材４の横フレーム部材４２内に収納されている支持部５を下方に引き出す。この際、支持部５のスライドピン５１が、横フレーム部材４２のスライド長孔４４の上係止孔４５から下係止孔４６へと移動するように、支持部５を引き出す。スライドピン５１が下係止孔４６に係止された状態で、支持部５の下端の当たり部５０が床面に接触し、フレーム部材４が支持部５を介して床面に支えられた状態となる。
【００２５】
この状態で、水気を含んだタオルやバスマット等をフレーム部材４の上フレーム部材４０にかける。フレーム部材４は支持部５を介して床面に支えられているので、これらの水を含んで重くなったタオル等をしっかりと支えることができる。またこの支持部５を介して床面に支えられたフレーム部材４を、腰掛けや背もたれとして利用することもできる。なお、支持部５を収納したまま、水気を含んだタオルやバスマット等をフレーム部材４にかけてもかまわない。
【００２６】
フレーム部材４を閉じる際には、まずフレーム部材４内に支持部５を収納する。このとき支持部５のスライドピン５１が、下係止孔４６から上係止孔４５へと移動するように、支持部５を横フレーム部材４２内に差し込む。スライドピン５１が上係止孔４５に係止された状態で、支持部５全体がフレーム部材４内に収納される。この後、フレーム部材４を扉本体３と上下に重なる閉位置まで移動させて、フレーム部材４を閉じる。このときフレーム把持部４７を引きながらフレーム部材４を閉位置まで移動させれば、ストッパー部４８が扉本体３に接触することなくフレーム部材４を閉じることができる。なお、フレーム把持部４７を触らずにフレーム部材４を閉位置まで移動させても、ストッパー部４８が扉本体３の上面に押されて自動的に引っ込んでフレーム部材４を閉じることができる。
【００２７】
フレーム部材４を乾燥用の物干しとして利用しない場合には、扉本体３の係止溝３３にはフレーム部材４のストッパー部４８が嵌まり込んでいるため、扉本体３の本体把持部３０を引くだけで、フレーム部材４と扉本体３とを一緒に開くことができる（図１（ｃ）参照）。
【００２８】
以上、本実施形態のキャビネットの扉構造について説明したが、続いて、他の実施形態のキャビネットの扉構造について説明する。上述した実施形態のキャビネットの扉構造と相違点のみ詳しく説明する。
【００２９】
図５に示す他の実施形態のキャビネットの扉構造は、キャビネット１の前面の扉２が、扉本体３と、扉本体３の前面部の外枠をなすフレーム部材４とから構成される。すなわち、扉本体３とフレーム部材４とは共に閉じた状態で、扉本体３の前方にフレーム部材４が重なる。
【００３０】
本実施形態では、上述した図４の取付構造と同様に、キャビネット１の扉２の上方に配されている前板１８と、キャビネット１の扉２の下方に配されている受け板１９との間に、回転軸２０を介して扉本体３とフレーム部材４とを取り付けている。つまり、扉本体３とフレーム部材４とが同じ回転軸を中心に開閉動作を行うようになっている。
【００３１】
本実施形態では、フレーム部材４を扉本体３の前面部の外枠をなすように形成したことで、フレーム部材４のみ開いた状態で、収納部１０の前面全体を扉本体３で閉じることができ、収納部１０内の物が外部から見えないようにできる。
【００３２】
また、扉本体３の前方にフレーム部材４が重なっているので、扉本体３を開けば、一緒にフレーム部材４を開くことができる。そのため、本実施形態では、扉本体３とフレーム部材４とを係止させる構成を設ける必要がないので、構成を簡素化することができる。
【００３３】
以上まとめると、上述した各実施形態のキャビネットの扉構造は、キャビネット１の前面の扉２を、扉本体３と、扉本体３の外枠を成すフレーム部材４とで形成し、扉本体３とフレーム部材４のそれぞれをキャビネット１に対して開閉自在に取り付けたものである。
【００３４】
このような構成とすることで、フレーム部材４をキャビネット１の前方に開くことによって、このフレーム部材４を水気を含んだタオルやバスマット等を乾燥させる物干しとして利用することができる。フレーム部材４は枠状であるので、フレーム部材４に掛けた水気を含んだタオル等の周りでは空気が循環しやすく、本実施形態のキャビネットの扉構造は、水気を含んだタオル等の乾燥をさせる用途としても好適に利用することができる。
【００３５】
また、上述した各実施形態のキャビネットの扉構造は、フレーム部材４の下部に、フレーム部材４を開いた際に床面に接触してフレーム部材４を支持する支持部５を収納可能に設けたものである。
【００３６】
このような構成とすることで、キャビネット１の前面の取付部分だけでフレーム部材４を支えるのではなく、支持部５を介して床面でもフレーム部材４を支えることができる。そのため、水気を含んで重くなったタオルやバスマット等の重量物をフレーム部材４でよりしっかりと支えることができる。また、支持部５は、フレーム部材４を閉じる際に収納することができるので邪魔にならない。
【００３７】
また、上述した各実施形態のキャビネットの扉構造は、キャビネット１上部にボウル６またはシンクを備えることを特徴とする。
【００３８】
このような構成とすることで、ボウル６またはシンクなどで使用して、水気を含んだタオル等を下方のフレーム部材４を利用して乾燥させることができる。
【００３９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４０】
１      キャビネット
２      扉
３      扉本体
４      フレーム部材
５      支持部
６      ボウル
【図１】
0005584664.tif 000002
【図２】
0005584664.tif 000003
【図３】
0005584664.tif 000004
【図４】
0005584664.tif 000005
【図５】
0005584664.tif 000006